(57)【要約】【課題】遠赤外線発生ユニットの破損を防止できるとともに、遠赤外線による加温効果を適切に得ることができるようにすること。【解決手段】ドライヤ１０の発熱線１８に炭素よりなる成形体２５を付設した。この成形体２５をケーシング２６内に収容し、そのケーシング２６には遠赤外線の通過部を設けた。成形体２５は遠赤外線が透過するカバーシート２７により被覆されている。【選択図】図２
2020150999.tif 000002
【特許請求の範囲】
【請求項１】
人体を加温するための熱源を設けるとともに、その熱源に遠赤外線発生体を付設した加温美容器具において、
前記遠赤外線発生体をハウジング内に収容し、そのハウジングには遠赤外線の通過部を設けた加温美容器具。
【請求項２】
前記遠赤外線発生体を炭素成形体により構成し、その炭素成形体を遠赤外線が透過するカバーシートにより被覆した請求項１に記載の加温美容器具。
【請求項３】
前記ハウジングに透孔を形成し、その透孔を覆うようにハウジングの外側面を遠赤外線が透過するカバーシートにより被覆した請求項１に記載の加温美容器具。
【発明の詳細な説明】
【技術分野】
【０００１】
本発明は、頭髪や頭皮など身体の一部を美容のために加温するようにしたヘアドライヤやヘアアイロンなどの加温美容器具に関するものである。
【背景技術】
【０００２】
頭髪や頭皮を乾燥させるためにヘアドライヤが、頭髪をストレートにするためにストレートアイロンが、頭髪をカールさせるためにカールアイロンがそれぞれ一般に使用されている。しかしながら、例えば、頭皮は加齢とともに分泌物の少なくなり、潤いがなくなる。従って、頭皮にドライヤの高い温度の温風を当てると、頭皮が乾燥しすぎて、かゆみなどの原因になる。また、頭髪は加齢に従って潤いが少なくなるとともに、細くなり、その結果、高い温度の加温によって変色したり、枝毛が生じたりする。これを防止するために、特許文献１及び特許文献２においては、ヘアドライヤにおいて、遠赤外線を発生するための炭素成形体を設けて、加温温度が低くても、遠赤外線によって加温効果をサポートするようにしている。
【先行技術文献】
【特許文献】
【０００３】
【特許文献１】登録実用新案第３０１１９６４号公報
【特許文献２】特開２０１８−１５５３９号公報
【発明の概要】
【発明が解決しようとする課題】
【０００４】
しかしながら、炭素成形体は、脆弱であるために、衝撃や擦過などに弱い。従って、炭素成形体は、外力によって脆性破壊されて、割れたり、炭素の一部が粉状あるいは粒状になって分離したりすることがあって、このような場合には、使用者の肌などを黒く汚すおそれがある。特許文献１においては、このような問題に対応するために、炭素成形体をコーティング剤によって被覆しているが、コーティング剤は強度が充分ではないため、前記のようなおそれを払拭できない。また、コーティング剤の材質によっては、遠赤外線を遮蔽してしまうため、遠赤外線による加温サポート効果が大幅に減少する結果となる。
【０００５】
本発明の目的は、炭素成形体などの遠赤外線発生体の破壊を防止できるとともに、遠赤外線による加温サポート作用を適切に得ることができる加温美容器具を提供することにある。
【課題を解決するための手段】
【０００６】
上記の目的を達成するために、本発明においては、人体を加温するための熱源を設けるとともに、その熱源に遠赤外線発生体を付設した加温美容器具において、前記遠赤外線発生体をケーシング内に収容し、そのケーシングには遠赤外線の通過部を設けたことを特徴とする。
【０００７】
以上の構成においては、熱源が発熱されると、その熱によって人体が加温されて、その温度が美容に供される。このとき、熱源の熱によって遠赤外線発生体から遠赤外線が発生される。そして、その遠赤外線は、遠赤外線の通過部を経て人体に到達する。従って、遠赤外線によって加温がサポートされる。しかも、遠赤外線は、エアを媒体にすることなく、人体に直接輻射されるものであるため、媒体エアを加熱したり、媒体エアを介して熱が拡散されたりするロスを生じることなく、加温を実行できて、加温効率を向上できる。そして、遠赤外線発生体はケーシング内に収容されているため、破損が回避される。
【発明の効果】
【０００８】
以上のように、本発明によれば、遠赤外線発生体の破損を防止できるとともに、遠赤外線による加温効果を適切に得ることができる効果を発揮する。
【図面の簡単な説明】
【０００９】
【図１】ヘアドライヤの側面図。
【図２】送風筒部分の断面図。
【図３】成形体ユニットの部分を示す斜視図。
【図４】成形体ユニットを示す分解斜視図。
【図５】成形体ユニットを示す断面図。
【図６】ストレートアイロンを示す斜視図。
【図７】ストレートアイロンを示す側面図。
【図８】遠赤外線発生ユニットの部分を示す平面図。
【図９】アイロン片の部分の断面図。
【図１０】カールアイロンを示す側面図。
【図１１】カールアイロンを示す斜視図。
【図１２】加温部の部分の断面図。
【発明を実施するための形態】
【００１０】
以下、本発明を具体化した実施形態を図面に基づいて説明する。
（第１実施形態）
図１〜図５に基づいて本発明をヘアドライヤ（以下、ドライヤという）１０に具体化した第１実施形態を説明する。
【００１１】
図１に示すように、ドライヤ１０のハンドル１１を有するハウジング１２の基端部には、モータ（図示しない）及びそのモータによって回転されるシロッコファン（図示しない）を内蔵したモータ室１３が配置されている。ハンドル１１には、前記モータ及び後述の発熱体１８を起動・停止させるとともに、発熱体１８の発熱温度を調節するための調節スイッチ１５が設けられている。その調節スイッチ１５の近傍には、ドライヤ１０を温風供給状態と冷風供給状態とに切り換えるための切換スイッチ１４が設けられている。
【００１２】
ハウジング１２には、モータ室１３から前方に向かって延びる送風筒１６が形成されている。図２及び図３に示すように、この送風筒１６の内部には断面十字状をなし、マイカなどの不燃性，耐熱性及び電気絶縁性を有する支持部材１７が固定配置されている。支持部材１７の外周には、ニクロム線よりなる発熱体１８が支持部材１７を内包するように螺旋状に巻き回されている。そして、モータの駆動によってモータ室１３の側面の吸気口１９から外部のエアがモータ室１３内に吸引されて、そのエアが送風筒１６内に送られる。このエアは送風筒１６内において発熱体１８によって加温されて、送風筒１６の前端開口から外部に送出される。
【００１３】
支持部材１７の前端中心部であって、発熱体１８の巻き回領域の軸心部には、ステー２１が取り付けられており、このステー２１の前端には人感センサである温度センサ２２が支持されている。この温度センサ２２は前方を指向していて、ドライヤ１０の使用時に温度センサ２２の前方に位置する使用者の頭皮や頭髪の温度を検出する。そして、その検出結果に応じて、発熱体１８の発熱温度が自動的に調節される。このため、頭皮や頭髪などの１箇所に温風を供給し続けても、その箇所の過熱を防止できるとともに、温度検出にともない、高温と低温とが交互に供給されるようにすれば、キューティクルが引き締められてキューティクルの艶出し作用を確保できるとともに、頭皮の適切な血行促進が可能になる。
【００１４】
温度センサ２２の後部側には遠赤外線発生ユニット２３が設置されている。図２〜図５に示すように、この遠赤外線発生ユニット２３は、前後両端を開放した四角筒状のケーシング２６と、そのケーシング２６内に収容された成形体ユニット２４とを備えている。なお、図２においては、温度センサ２２の部分を断面にすることなく、遠赤外線発生ユニット２３を断面にしている。ケーシング２６は、炭素成分を含有するフェノール樹脂よりなり、前後を開放した四角筒状をなしている。ケーシング２６の前側の開口が遠赤外線の通過部を構成する。
【００１５】
成形体ユニット２４は、直方体形状の炭素成形体（以下、単に成形体という）２５と、その成形体２５の周囲を被覆するカバーシート２７とによって構成されている。成形体２５は、高純度の黒鉛よりなる。カバーシート２７は、フッ素と炭素との化合物であるポリテトラフルオロエチレン（以下、商標名であるテフロンと称する）よりなり、成形体２５の上下両面及び前後両面を覆うように、成形体２５の外周に巻き回されている。従って、ケーシング２６の前後の開口部における成形体２５の側面はカバーシート２７によって塞がれるとともに、成形体２５の外周面とケーシング２６の内周面との間にはカバーシート２７が介在されている。
【００１６】
本実施形態のドライヤ１０は以下のように作用する。
ドライヤ１０の使用時には、発熱体１８が発熱されるとともに、その発熱体１８によって加温された温風が送風筒１６の先端開口から前方に向かって放出される。このため、この温風を利用して、頭髪の乾燥やセットなどを行うことができる。このとき、成形体２５は発熱体１８によって四周を包囲されて、その発熱体１８によって加熱されるため、成形体２５から遠赤外線が発生される。そして、この遠赤外線はカバーシート２７を透過してケーシング２６の前側開口から外部に供給される。また、カバーシート２７は、炭素成分を含有するため、発熱体１８の熱及び成形体２５からの遠赤外線によって加温されて遠赤外線を発生する。
【００１７】
このようにして、ケーシング２６の開口から使用者に向かって遠赤外線が供給される。さらに、ケーシング２６は炭素成分を含有するフェノール樹脂によって構成されているため、ケーシング２６も発熱体１８からの熱によって遠赤外線を発生する。このため、この遠赤外線を温風の熱とともに頭髪の乾燥やセットなどに供することができる。
【００１８】
従って、本実施形態のドライヤ１０においては、以下の効果がある。
（１）本実施形態のドライヤ１０においては、発熱体１８による加温に際して、成形体２５から発生される遠赤外線により頭髪乾燥や頭髪スタイルのセットなどをサポートできる。従って、発熱体１８の発熱量を少なくできて、消費電力を節約できるとともに、頭皮や頭髪に対するダメージを低減できる。すなわち、頭髪や頭皮に対して電磁波の一種である遠赤外線が供給される状態においては、頭髪や頭皮の内部の水分が微振動共振によって加温されるため、発熱体１８をそれほど高温発熱させなくても、乾燥や血行促進を有効に行うことができる。このように、頭髪乾燥やセットなどにおいて発熱体１８による頭髪や頭皮の過昇温を防止して、低温乾燥や低温セットが可能になるため、頭髪や頭皮の熱によるダメージを回避できて、肌と髪のケアを促進できる。しかも、遠赤外線が温風の温度をサポートするため、温風が低温であっても、乾燥やセットを短時間で効率よく行うことができる。さらに、遠赤外線は、距離を隔てていても、頭皮に到達しやすく、頭皮を適度に暖めて、血行促進に有用である。
【００１９】
（２）成形体２５が脆性材料の黒鉛よって構成されていても、成形体２５がフェノール樹脂よりなる硬質のケーシング２６内に収容されているため、その成形体２５に対する物理的な外力が作用することを抑えることができて、成形体２５を保護でき、成形体２５の脆性破壊を防止できる。従って、遠赤外線の発生機能が損なわれることがないとともに、破壊された黒鉛の粉体や粒体などによって肌などが汚れることを防止できる。また、成形体２５の前面，すなわちケーシング２６の前側開放部に位置する部分がカバーシート２７によって覆われているため、成形体２５を構成する炭素の一部の微粒子が煤状になって飛散することを回避でき、前記と同様に肌の汚れなどを防止できる。
【００２０】
（３）成形体２５とケーシング２６との間には、ケーシング２６より柔軟性を有するカバーシート２７が介在されているため、このカバーシート２７により成形体２５に対する物理的外力が緩衝される。従って、成形体２５に対する保護機能をさらに高めることができる。しかも、カバーシート２７は、ケーシング２６の開口部において成形体２５をカバーしているため、成形体２５をより確実に保護できる。このため、ドライヤ１０を硬質の床面に落としたとしても、成形体２５を割れたりすることなく、有効に保護できる。
【００２１】
（４）カバーシート２７は、炭素成分を含有するテフロンであるため、遠赤外線を透過するだけではなく、前記のように、発熱体１８からの熱によって、カバーシート２７からも遠赤外線が発生する。加えて、カバーシート２７は、成形体２５からの遠赤外線によって発熱されて、さらに遠赤外線を追加発生する。また、ケーシング２６は炭素成分を含有するフェノール樹脂によって構成されているため、発熱体１８からの熱によってケーシング２６からも遠赤外線が発生される。従って、頭髪の乾燥やセットなどを遠赤外線によって適切にサポートできる。
【００２２】
（５）カバーシート２７は耐熱性を有するテフロン製であるため、耐久性に優れる。
（６）成形体２５を有する成形体ユニット２４は、発熱体１８の巻き回域の中心に位置するので、成形体ユニット２４が発熱体１８上を通るエア流の障害になることはなく、円滑な温風の流れを得ることができる。しかも、成形体ユニット２４は３６０度の範囲の周りからほぼ均等で、有効な輻射熱を得ることができるため、充分な量の遠赤外線を発生させることができる。
【００２３】
（７）成形体２５は、同体積の遠赤外線発生作用を有するセラミックより軽いため、ドライヤ１０の軽量化に寄与できる。
（第２実施形態）
次に、本発明をヘアアイロンであるストレートアイロン３０に具体化した第２実施形態を図６〜図９の図面に基づいて説明する。
【００２４】
図６及び図７に示すように、ストレートアイロン３０においては、一対のアイロン片３１が基端部において開閉可能に連結されている。一方のアイロン片３１には、起動スイッチ３２と、後述の発熱体３８の発熱温度を調節するための調節スイッチ３３とが設けられている。
【００２５】
図８及び図９に示すように、両アイロン片３１の先端対向面には、凹部３４が形成されており、それらの凹部３４内には、遠赤外線発生ユニット３５が収容固定されている。遠赤外線発生ユニット３５は、凹部３４の内底部側に位置するボトム部材３６と、ボトム部材３６の内部に位置する板バネ３７と、その板バネ３７上に位置するセラミックヒータよりなる発熱体３８と、その発熱体３８上に位置する成形体ユニット２４とを備えている。成形体ユニット２４は、遠赤外線発生ユニット３５の一部を構成する。そして、成形体ユニット２４は、板状の成形体３９と、その成形体３９上を覆い、ヒートシンク機能を有するケーシング４０とを備えており、ケーシング４０の上面にはテフロンよりなるカバーシート４１が貼着されている。凹部３４の内底面と遠赤外線発生ユニット３５との間にはシリコーンゴムよりなる弾性塊体４６が介在されている。
【００２６】
成形体３９は、前記実施形態と同様に高純度の黒鉛よりなり、ケーシング４０は熱伝導の良好な金属，例えばアルミニウムまたはアルミニウム合金よりなる。ボトム部材３６の両側には固定側ストッパ４２が形成されるとともに、ケーシング４０の両側には固定側ストッパ４２の内面に対向する可動側ストッパ４３が形成されている。そして、前記板バネ３７により、発熱体３８が成形体３９に隙間なく押圧されるとともに、成形体３９がケーシング４０の内面の着座面４５に隙間なく押圧され、さらに、ケーシング４０が固定側ストッパ４２によって位置規制されるまで突出側に付勢されている。ケーシング４０には、発熱体３８に対向する複数の透孔４４が形成されている。この透孔４４は遠赤外線の通過部を構成する。
【００２７】
そして、ストレートアイロン３０の使用時には、発熱体３８の熱によってケーシング４０が加熱されて、カバーシート４１も加熱される。このとき、成形体３９から遠赤外線が発生し、その遠赤外線は、ケーシング４０の透孔４４を通り、カバーシート４１を透過し、外部に放出される。また、カバーシート４１は、この遠赤外線と、発熱体３８とによって加熱されて、遠赤外線を発生する。
【００２８】
従って、アイロン片３１を閉じて、頭髪を挟んだ状態でストレートアイロン３０を頭髪の長さ方向に沿って梳くようにしてスライド移動させれば、その頭髪をストレートにすることができる。この場合、頭髪に無理な力が作用しないように、遠赤外線発生ユニット３５は、板バネ３７及び弾性塊体４６の弾性変形と反発力とを利用してサスペンション的に昇降される。
【００２９】
頭髪には、発熱体３８による加温の温度に加えて、大量の遠赤外線が供給されるため、加温温度をそれほど高くすることなく、つまり、加熱温度が低くても、電磁波である遠赤外線により頭髪をその内部から有効に加温してストレートにセットすることができる。このため、頭髪の炭化を抑制して、頭髪が受けるダメージを極力少なくできる。
【００３０】
従って、本実施形態においては、以下の効果を得ることができる。
（１）成形体３９及びカバーシート４１からの遠赤外線を頭髪のセットに利用できるため、前記のように、加温温度を高くすることなく頭髪を適切にセットできる。このため、このセットを短時間で行うことができるとともに、頭髪の水分蒸発を少なくして、水分量を適量に維持でき、頭髪のダメージを大幅に低減できる。従って、頭髪のツヤを保持できるとともに、枝毛や変色を極力回避できる。
【００３１】
（２）ケーシング４０の表面が摩擦係数の小さなテフロン製のカバーシート４１によって覆われているため、頭髪を小さな抵抗でスムーズにのばすことができる。従って、前記のように、頭髪のダメージを抑制して、頭髪の艶を保持できて、枝毛や変色を極力回避できるとともに、アイロン動作に対する抵抗が小さくなって、セットをスムーズかつ容易に行うことができる。
【００３２】
（３）ケーシング４０に透孔４４が形成されているため、成形体３９から発生された遠赤外線が透孔４４を通ってカバーシート４１に容易に到達する。そのため、カバーシート４１を透過して遠赤外線が放出されるだけではなく、その遠赤外線によってカバーシート４１の発熱が促進されて、さらに大量の遠赤外線が発生されて、アイロンに供される。
【００３３】
（４）ケーシング４０の透孔４４がカバーシート４１によって塞がれるため、濡れた頭髪にアイロンをかける場合であっても、水滴や水分が透孔４４からストレートアイロン３０内に浸入することを防止できて、ストレートアイロン３０内の電気部品を保護できる。
【００３４】
（５）成形体３９がケーシング４０内に板バネ３７を介して収容されて、そのケーシング４０が柔軟性を有するカバーシート４１によって被覆されている。さらには、成形体３９を有する遠赤外線発生ユニット３５がシリコーンゴムよりなる弾性塊体４６によってアイロン片３１に受けられている。従って、アイロン片３１を粗雑に扱っても、例えば、アイロン片３１を勢いよく閉じて、アイロン片３１どうしを相互に衝突させても、その衝撃がカバーシート４１や板バネ３７及び弾性塊体４６によって複数箇所で吸収されるため、成形体３９の割れなどを適正に回避できる。
【００３５】
（第３実施形態）
次に、本発明をヘアアイロンとしてのカールアイロン５０に具体化した第３実施形態を図１０〜図１２の図面に基づいて説明する。
【００３６】
図１０及び図１１に示すように、カールアイロン５０は、周面を円筒にした棒状のアイロン本体５１と、そのアイロン本体５１に対して軸５２により基端部において開閉可能に連結した押さえレバー５３とを備えている。アイロン本体５１は、ハンドル部５４と遠赤外線発生ユニットを構成する加温部５５とを備え、ハンドル部５４には、起動スイッチ５６と、後述の発熱体６７の温度調節するための調節スイッチ５７とが設けられている。押さえレバー５３は、操作部５８と、アイロン本体５１の加温部５５の外周面に沿う断面円弧状の押さえ部５９とを有している。
【００３７】
図１１及び図１２に示すように、加温部５５は、熱伝導の良好な金属，例えばアルミニウムまたはアルミニウム合金によって構成されて、ヒートシンクを構成する半円筒状の一対のケーシング６１を備え、ケーシング６１の外周全体がテフロンよりなる円筒状のカバーシート６０によって被覆されている。両ケーシング６１の両側縁の間はバー状のシール材６２によって塞がれている。両ケーシング６１の幅方向の中央部には遠赤外線の通過部を構成する複数の透孔６３が列設されている。透孔６３の列設域の内側には着座面６４が形成されている。
【００３８】
両ケーシング６１の内側には一対の受け部６５が形成されており、両受け部６５間には板バネ６９を介して受け板６６が支持されている。この受け板６６上にはセラミックヒータよりなる板状の発熱体６７が支持されるとともに、発熱体６７上には黒鉛よりなる板状の成形体６８が支持されている。そして、板バネ６９のバネ力により、発熱体６７が成形体６８に隙間なく押圧され、成形体６８が着座面６４に隙間なく押圧されて、成形体６８が着座面６４に着座されている。そして、ケーシング６１は成形体６８のハウジングを構成している。
【００３９】
本実施形態のカールアイロン５０を用いて、頭髪をカールセットする場合には、１８０度隔てて配置された２箇所の発熱体６７が発熱して、成形体６８，ケーシング６１及びカバーシート６０の全体，すなわち加温部５５全体が加温される。そして、頭髪をアイロン本体５１の加温部５５に巻き回するとともに、その頭髪を押さえレバー５３によって加温部５５との間において挟持すればよい。このようにすれば、頭髪が加温されてカール状態にセットされる。このとき、成形体６８から遠赤外線が発生されて、その遠赤外線が透孔６３を介してカバーシート６０に到達し、そのカバーシート６０を透過して、外部に放出される。また、この遠赤外線によってカバーシート６０も発熱するとともに、発熱体６７の熱によって加熱されて、遠赤外線を放出する。従って、頭髪をカールさせるセットに際して、発熱体６７による直接加温に加えて、遠赤外線によるサポート加温を行うことができる。
【００４０】
従って、本実施形態においては、前記第２実施形態と同様な作用及び効果を得ることができる。
（変更例）
本発明は、前記各実施形態の構成に限定されるものではなく、以下のような態様で具体化することもできる。
【００４１】
・第１実施形態において、ケーシング２６として、フェノール樹脂以外のもの、例えばテフロン，ＰＰＳ（ポリフェニレンサルファイド樹脂），炭素強化樹脂などの遠赤外線を発生させる材質のものを用いること。
【００４２】
・第１実施形態において、送風筒１６の前端開口部のステー２１及び温度センサ２２を省いて、その部分に成形体２５を有する遠赤外線発生ユニット２３を設けること。
・第１実施形態においては、成形体２５を直方体形状にしたが、立方体形状，球体形状，円柱形状，角柱形状，６面体以外の多面体形状など、成形体２５の形状を変更すること。この場合、成形体２５の形状に応じてケーシング２６の形状を変更することが好ましい。
【００４３】
・第１実施形態において、ケーシング２６を前後を開放した四角筒状にしたが、このケーシング２６は前側が開放されていればよく、後側が閉鎖されていてもよい。
・第３実施形態において、レバー側のケーシング６１側にのみ成形体６８を向けること。
【００４４】
・第３実施形態において、成形体６８をケーシング６１の内周面に沿う断面円弧形状にすること。
・第１〜第３各実施形態において、テフロンよりなるカバーシート２７，４１，６０に代えて、遠赤外線を透過しやすい材質のもの、例えば高密度ポリエチレン製のものを用いること。
【００４５】
・加温美容器具として、前記各実施形態のドライヤ１０，ストレートアイロン３０，カールアイロン５０以外の加温美容器具，例えば、櫛を有し、櫛歯の根本部分からエアを放出するドライヤにおいて本発明を具体化すること。
【００４６】
・成形体２５，３９，６８として、黒鉛以外のもの，例えば、アルミナ樹脂などのセラミック製のものや、珪藻土のものを用いること。
（他の技術的思想）
前記実施形態または変更例から把握され、請求項に挙げられていない技術的思想の一例は以下の通りである。
【００４７】
（Ａ）カバーシートをポリテトラフルオロエチレンによって構成した請求項１〜３のうちのいずれか一項に記載の加温美容器具。
（Ｂ）カバーシートを遠赤外線透過材質のものによって構成した請求項１〜３のうちのいずれか一項に記載の加温美容器具。
【符号の説明】
【００４８】
１０…ヘアドライヤ、１８…発熱源、２３…発熱体、２５…炭素成形体、２６…ケーシング、２７…カバーシート、３０…ストレートアイロン、３８…発熱体、３９…成形体、４０…ケーシング、４１…カバーシート、４４…透孔、５０…カールアイロン、６０…カバーシート、６１…ケーシング、６３…透孔、６７…発熱体、６８…成形体。
【図１】
2020150999.tif 000003
【図２】
2020150999.tif 000004
【図３】
2020150999.tif 000005
【図４】
2020150999.tif 000006
【図５】
2020150999.tif 000007
【図６】
2020150999.tif 000008
【図７】
2020150999.tif 000009
【図８】
2020150999.tif 000010
【図９】
2020150999.tif 000011
【図１０】
2020150999.tif 000012
【図１１】
2020150999.tif 000013
【図１２】
2020150999.tif 000014